【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
ベーシックコードをシフトさせて生成したミッドアンブルパターンを用いる第１ＣＤＭＡ通信装置および第２ＣＤＭＡ通信装置を備えるＣＤＭＡ通信システムであって、
前記第１ＣＤＭＡ通信装置が、
第１単位時間ではデータと第１ミッドアンブルパターンとを多重して送信信号を生成し、第２単位時間ではデータと第２ミッドアンブルパターンとを多重して送信信号を生成する第１多重手段と、
前記第１多重手段で生成された送信信号を送信する第１送信手段と、を備え、
前記第２ＣＤＭＡ通信装置が、
前記第１単位時間ではデータと前記第２ミッドアンブルパターンとを多重して送信信号を生成し、前記第２単位時間ではデータと前記第１ミッドアンブルパターンとを多重して送信信号を生成する第２多重手段と、
前記第２多重手段で生成された送信信号を送信する第２送信手段と、を備え、
前記第１単位時間と前記第２単位時間とが周期的に繰り返される、
ＣＤＭＡ通信システム。
【請求項２】
前記第１ミッドアンブルパターンおよび前記第２ミッドアンブルパターンのパターン長は、前記第１単位時間および前記第２単位時間より短い、
請求項１記載のＣＤＭＡ通信システム。
【請求項３】
ベーシックコードをシフトさせて生成したミッドアンブルパターンを用いるＣＤＭＡ通信装置であって、
第１単位時間ではデータと第１ミッドアンブルパターンとを多重して送信信号を生成し、第２単位時間ではデータと第２ミッドアンブルパターンとを多重して送信信号を生成する多重手段と、
前記多重手段で生成された送信信号を送信する送信手段と、を備え、
前記第１単位時間と前記第２単位時間とが周期的に繰り返され、
前記第１単位時間では前記第２ミッドアンブルパターンが他のＣＤＭＡ通信装置によって使用され、前記第２単位時間では前記第１ミッドアンブルパターンが前記他のＣＤＭＡ通信装置によって使用される、
ＣＤＭＡ通信装置。
【請求項４】
ベーシックコードをシフトさせて生成したミッドアンブルパターンを用いるＣＤＭＡ通信装置であって、
第１単位時間では、第２単位時間において他のＣＤＭＡ通信装置によって使用される第１ミッドアンブルパターンとデータとを多重して送信信号を生成し、
前記第２単位時間では、前記第１単位時間において前記他のＣＤＭＡ通信装置によって使用され、前記第１ミッドアンブルパターンと異なる第２ミッドアンブルパターンとデータとを多重して送信信号を生成する多重手段と、
前記多重手段で生成された送信信号を送信する送信手段と、を備え、
前記第１単位時間と前記第２単位時間とが周期的に繰り返される、
ＣＤＭＡ通信装置。
【請求項５】
ベーシックコードをシフトさせて生成したミッドアンブルパターンを用いる第１ＣＤＭＡ通信装置および第２ＣＤＭＡ通信装置を備えるＣＤＭＡ通信システムであって、
ミッドアンブルパターンとデータとが多重された信号を受信する受信手段と、
受信された前記信号と既知のミッドアンブルパターンとの相関値を算出する相関手段と、
前記相関値を用いて伝播遅延を推定する推定手段と、を具備し、
前記推定手段は、
第１単位時間における前記信号と第１ミッドアンブルパターンとの相関値および第２単位時間における前記信号と第２ミッドアンブルパターンとの相関値を用いて前記第１ＣＤＭＡ通信装置からの伝搬遅延を推定し、
前記第１単位時間における前記信号と前記第２ミッドアンブルパターンとの相関値および前記第２単位時間における前記信号と前記第１ミッドアンブルパターンとの相関値を用いて前記第２ＣＤＭＡ通信装置からの伝搬遅延を推定し、
前記第１単位時間と前記第２単位時間とが周期的に繰り返される、
ＣＤＭＡ通信システム。
【請求項６】
ベーシックコードをシフトさせて生成したミッドアンブルパターンを用いるＣＤＭＡ通信装置における通信方法であって、
第１単位時間と第２単位時間とが周期的に繰り返され、
前記第１単位時間ではデータと第１ミッドアンブルパターンとを多重して送信信号を生成し、前記第２単位時間ではデータと第２ミッドアンブルパターンとを多重して送信信号を生成し、
前記第１単位時間では前記第２ミッドアンブルパターンが他のＣＤＭＡ通信装置によって使用され、前記第２単位時間では前記第１ミッドアンブルパターンが前記他のＣＤＭＡ通信装置によって使用される、
通信方法。
【請求項７】
ベーシックコードをシフトさせて生成したミッドアンブルパターンを用いるＣＤＭＡ通信装置における通信方法であって、
第１単位時間と第２単位時間とが周期的に繰り返され、
前記第１単位時間では、前記第２単位時間において他のＣＤＭＡ通信装置によって使用される第１ミッドアンブルパターンとデータとを多重して送信信号を生成し、
前記第２単位時間では、前記第１単位時間において前記他のＣＤＭＡ通信装置によって使用され、前記第１ミッドアンブルパターンと異なる第２ミッドアンブルパターンとデータとを多重して送信信号を生成する、
通信方法。
【請求項８】
ベーシックコードをシフトさせて生成したミッドアンブルパターンを用いる第１ＣＤＭＡ通信装置および第２ＣＤＭＡ通信装置を備えるＣＤＭＡ通信システムにおける通信方法であって、
第１単位時間と第２単位時間とが周期的に繰り返され、
前記第１単位時間では、
ミッドアンブルパターンとデータとが多重された信号と第１ミッドアンブルパターンとの相関値を算出して前記第１ＣＤＭＡ通信装置からの伝搬遅延を推定し、前記信号と第２ミッドアンブルパターンとの相関値を算出して前記第２ＣＤＭＡ通信装置からの伝搬遅延を推定し、
前記第２単位時間では、
前記信号と前記第２ミッドアンブルパターンとの相関値を算出して前記第１ＣＤＭＡ通信装置からの伝搬遅延を推定し、前記信号と前記第１ミッドアンブルパターンとの相関値を算出して前記第２ＣＤＭＡ通信装置からの伝搬遅延を推定する、
通信方法。
【手続補正２】
【補正対象書類名】明細書
【補正対象項目名】発明の名称
【補正方法】変更
【補正の内容】
【発明の名称】ＣＤＭＡ通信システム、ＣＤＭＡ通信装置および通信方法
【手続補正３】
【補正対象書類名】明細書
【補正対象項目名】００２８
【補正方法】変更
【補正の内容】
【００２８】
本発明の第１の態様に係る通信端末装置は、相互に異なる複数の既知参照符号において基地局装置から指定されたチャネル固有の既知参照符号を単位時間毎に選択する選択手段と、前記選択手段により選択された既知参照符号を前記単位時間毎に挿入した送信信号を送信する送信手段と、を具備する。
【手続補正４】
【補正対象書類名】明細書
【補正対象項目名】００２９
【補正方法】変更
【補正の内容】
【００２９】
この構成によれば、各通信端末装置は単位時間毎に送信信号に挿入する既知参照信号を選択できるので、上記各通信端末装置と無線通信を行う基地局装置は、上記単位時間に対応した遅延プロファイルを作成することができる。これにより、上記基地局装置は、作成した上記単位時間に対応する遅延プロファイルを比較することにより、各通信端末装置の伝搬遅延を検出することができる。
【手続補正５】
【補正対象書類名】明細書
【補正対象項目名】００３０
【補正方法】変更
【補正の内容】
【００３０】
本発明の第２の態様に係る通信端末装置は、前記複数の既知参照符号は、巡回する基準符号において基準地点をいずれかの方向に順次ずらした各地点から所定の長さを抽出することにより作成される。
【手続補正６】
【補正対象書類名】明細書
【補正対象項目名】００３１
【補正方法】変更
【補正の内容】
【００３１】
この構成によれば、巡回する基準符号において基準地点をいずれかの方向に順次ずらした各地点から所定の長さを抽出することにより、相互に異なる複数の既知参照符号を確実に作成することができる。
【手続補正７】
【補正対象書類名】明細書
【補正対象項目名】００３２
【補正方法】変更
【補正の内容】
【００３２】
本発明の第３の態様に係る基地局装置は、相互に異なる複数の既知参照符号のうちチャネル固有の既知参照符号を単位時間毎に挿入した各チャネルの送信信号が同一周波数帯域に多重された信号を受信する受信手段と、前記受信手段により受信された信号と巡回する基準符号とを用いて前記単位時間毎に相関値を算出することにより、前記単位時間毎の遅延プロファイルを作成する作成手段と、前記作成手段により作成された遅延プロファイルを用いて各チャネルについての遅延を検出する検出手段と、を具備する。
【手続補正８】
【補正対象書類名】明細書
【補正対象項目名】００３３
【補正方法】変更
【補正の内容】
【００３３】
この構成によれば、相互に異なる複数の既知参照符号のうちチャネル固有の既知参照符号を単位時間毎に挿入した各チャネルの送信信号が同一周波数帯域に多重された信号と、巡回する既知参照符号とを用いて、単位時間毎に対応する遅延プロファイルを作成することができるので、各チャネルの伝搬遅延を検出することができる。
【手続補正９】
【補正対象書類名】明細書
【補正対象項目名】００３４
【補正方法】変更
【補正の内容】
【００３４】
本発明の第４の態様に係る基地局装置は、前記検出手段は、所定のチャネルについての遅延がない場合に希望波のパスの大きさが最大となる基準位相を一致させるように、前記作成手段により作成された遅延プロファイルのうち各特定単位時間に対応する遅延プロファイルの位置を調整する調整手段と、位置を調整された前記各遅延プロファイルにおいて一致するパスを前記所定のチャネルのパスとして認識する認識手段と、認識されたパスの位相と前記基準位相との位相差を前記パスの遅延として検出する遅延検出手段と、を具備し、前記特定単位時間は、各チャネルによる既知参照符号の挿入のされ方が固有になされた単位時間である。
【手続補正１０】
【補正対象書類名】明細書
【補正対象項目名】００３５
【補正方法】変更
【補正の内容】
【００３５】
この構成によれば、各特定単位時間に対応する遅延プロファイル、すなわち、各チャネルに対する既知参照符号の割り当て方が相互に異なる単位時間に対応する各遅延プロファイルを比較することにより、各チャネルの伝搬遅延を検出することができる。
【手続補正１１】
【補正対象書類名】明細書
【補正対象項目名】００３６
【補正方法】変更
【補正の内容】
【００３６】
本発明の第５の態様に係る基地局装置は、前記調整手段は、前記作成手段により作成された遅延プロファイルのうち各特定時間に対応する遅延プロファイルが平均化された遅延プロファイルの位置を調整する。
【手続補正１２】
【補正対象書類名】明細書
【補正対象項目名】００３７
【補正方法】変更
【補正の内容】
【００３７】
この構成によれば、各特定単位時間に対応する遅延プロファイルが平均化された遅延プロファイルを比較することにより、相互に異なるチャネルのパスが同一チャネルのパスとして検出されることを防止することができるので、各チャネルの伝搬遅延を正確に検出することができる。
【手続補正１３】
【補正対象書類名】明細書
【補正対象項目名】００３８
【補正方法】変更
【補正の内容】
【００３８】
本発明の第６の態様に係る基地局装置は、前記複数の既知参照符号は、前記巡回する基準符号において基準地点をいずれかの方向に順次ずらした各地点から所定の長さを抽出することにより作成される。
【手続補正１４】
【補正対象書類名】明細書
【補正対象項目名】００３９
【補正方法】変更
【補正の内容】
【００３９】
この構成によれば、巡回する基準符号において基準地点をいずれかの方向に順次ずらした各地点から所定の長さを抽出することにより、相互に異なる複数の既知参照符号を確実に作成することができる。
【手続補正１５】
【補正対象書類名】明細書
【補正対象項目名】００４０
【補正方法】変更
【補正の内容】
【００４０】
本発明の第７の態様に係る基地局装置は、前記検出手段による検出結果に基づいて、各チャネルに対して送信タイミングを指示するためのタイムアライメント制御信号を生成する生成手段を具備する。
【手続補正１６】
【補正対象書類名】明細書
【補正対象項目名】００４１
【補正方法】変更
【補正の内容】
【００４１】
この構成によれば、各チャネルの伝搬遅延を検出することができるので、各チャネルに対して送信タイミングを指示することができる。
【手続補正１７】
【補正対象書類名】明細書
【補正対象項目名】００４２
【補正方法】変更
【補正の内容】
【００４２】
本発明の第８の態様に係る通信端末装置は、上記いずれかの基地局装置と無線通信を行う。
【手続補正１８】
【補正対象書類名】明細書
【補正対象項目名】００４３
【補正方法】変更
【補正の内容】
【００４３】
この構成によれば、収容チャネル数に影響を与えることなく、各チャネルの伝搬遅延を正確に検出できる基地局装置と無線通信を行うことにより、良好な無線通信を実行することができる。
【手続補正１９】
【補正対象書類名】明細書
【補正対象項目名】００４４
【補正方法】変更
【補正の内容】
【００４４】
本発明の第９の態様に係る通信方法は、相互に異なる複数の既知参照符号において基地局装置から指定されたチャネル固有の既知参照符号を単位時間毎に選択する選択工程と、前記選択工程において選択された既知参照符号を前記単位時間毎に挿入した送信信号を送信する送信工程と、を具備する。
【手続補正２０】
【補正対象書類名】明細書
【補正対象項目名】００４５
【補正方法】変更
【補正の内容】
【００４５】
この方法によれば、各通信端末装置は単位時間毎に送信信号に挿入する既知参照信号を選択できるので、上記各通信端末装置と無線通信を行う基地局装置は、上記単位時間に対応した遅延プロファイルを作成することができる。これにより、上記基地局装置は、作成した上記単位時間に対応する遅延プロファイルを比較することにより、各通信端末装置の伝搬遅延を検出することができる。
【手続補正２１】
【補正対象書類名】明細書
【補正対象項目名】００４６
【補正方法】変更
【補正の内容】
【００４６】
本発明の第１０の態様に係る通信方法は、相互に異なる複数の既知参照符号のうちチャネル固有の既知参照符号を単位時間毎に挿入した各チャネルの送信信号が同一周波数帯域に多重された信号を受信する受信工程と、前記受信工程において受信された信号と巡回する基準符号とを用いて前記単位時間毎に相関値を算出することにより、前記単位時間毎の遅延プロファイルを作成する作成工程と、前記作成工程において作成された遅延プロファイルを用いて各チャネルについての遅延を検出する検出工程と、を具備する。
【手続補正２２】
【補正対象書類名】明細書
【補正対象項目名】００４７
【補正方法】変更
【補正の内容】
【００４７】
この方法によれば、相互に異なる複数の既知参照符号のうちチャネル固有の既知参照符号を単位時間毎に挿入した各チャネルの送信信号が同一周波数帯域に多重された信号と、巡回する既知参照符号とを用いて、単位時間毎に対応する遅延プロファイルを作成することができるので、各チャネルの伝搬遅延を検出することができる。
【手続補正２３】
【補正対象書類名】明細書
【補正対象項目名】００４８
【補正方法】変更
【補正の内容】
【００４８】
本発明によれば、収容チャネル数に影響を与えることなく、各チャネルについての伝搬遅延を正確に検出できる。